(57)【特許請求の範囲】
【請求項１】
上弦材と束と方杖とを備えた小屋組構成材であって、
前記束及び方杖が、それぞれの上端を中心として前記上弦材と平行な構面内で旋回可能であるように該上弦材に軸支されてなる、
ことを特徴とする小屋組構成材。
【請求項２】
前記上弦材がその軸に沿った下向き溝を有し、旋回させた前記束及び方杖を該下向き溝に収容可能である、
ことを特徴とする請求項１に記載の小屋組構成材。
【請求項３】
請求項１又は請求項２に記載の小屋組構成材を二個一組にして、各小屋組構成材の上弦材がそれぞれの上端を中心として前記構面内で互いに旋回可能であるように、前記両小屋組構成材が連結されてなる、
ことを特徴とする小屋組構成材。
【請求項４】
第一上弦材と第二上弦材と束と第一方杖と第二方杖とを備えた小屋組構成材であって、
前記束及び第一方杖が、それぞれの上端を中心として前記第一上弦材と平行な構面内で旋回可能であるように該第一上弦材に軸支され、
前記第二方杖が、その上端を中心として前記構面内で旋回可能であるように前記第二上弦材に軸支され、
前記第一上弦材と第二上弦材がそれぞれの上端を中心として前記構面内で互いに旋回可能である、
ことを特徴とする小屋組構成材。
【請求項５】
前記第一上弦材がその軸に沿った下向き溝を有し、旋回させた前記束及び第一方杖を該下向き溝に収容可能であり、
前記第二上弦材がその軸に沿った下向き溝を有し、旋回させた前記第二方杖を該下向き溝に収容可能である、
ことを特徴とする請求項４に記載の小屋組構成材。
【請求項６】
前記上弦材、束、方杖がいずれもアルミニウム合金製の押出形材からなる、
ことを特徴とする請求項１乃至請求項５のいずれか一項に記載の小屋組構成材。
【請求項７】
請求項１乃至請求項６のいずれか一項に記載の小屋組構成材を二個一組にして互いに平行に対向配置し、対向する上弦材間に母屋を架設してなる、
ことを特徴とする小屋組構成材。
【請求項８】
前記各母屋が、対向する上弦材を含む屋根の構面内で旋回可能であるようにそれぞれの両端において該各上弦材に軸支されてなる、
ことを特徴とする請求項７に記載の小屋組構成材。
【請求項９】
前記上弦材、束、方杖、母屋がいずれもアルミニウム合金製の押出形材からなる、
ことを特徴とする請求項７又は請求項８に記載の小屋組構成材。
【請求項１０】
桁行方向に所定の間隔をあけて複数本の下弦材をそれぞれ梁間方向に平行となるように建物上に設置した後、
請求項１乃至請求項６のいずれか一項に記載の小屋組構成材の上弦材、束、方杖の下端をそれぞれ前記各下弦材に固定してそれぞれ該下弦材を含む小屋組トラスを組み立て、
隣り合う小屋組トラスの各上弦材間に母屋を架設する、
ことを特徴とする小屋組構築工法。
【請求項１１】
請求項１乃至請求項６のいずれか一項に記載の小屋組構成材の上弦材、束、方杖の下端に下弦材を固定して小屋組トラスを組み立て、
これを複数個、桁行方向に所定の間隔をあけてそれぞれの構面が梁間方向に平行となるように建物上に設置した後、
隣り合う小屋組トラスの各上弦材間に母屋を架設する、
ことを特徴とする小屋組構築工法。
【請求項１２】
桁行方向に所定の間隔をあけて複数本の下弦材をそれぞれ梁間方向に平行となるように建物上に設置した後、
隣り合う二本一組の前記各下弦材にそれぞれ請求項７乃至請求項９のいずれか一項に記載の小屋組構成材の上弦材、束、方杖の下端を固定して小屋組トラスを形成し、
隣り合う二個一組の前記小屋組トラスの各上弦材間に母屋又は野地板を架設する、
ことを特徴とする小屋組構築工法。
【請求項１３】
請求項７乃至請求項９のいずれか一項に記載の小屋組構成材の上弦材、束、方杖の下端にそれぞれ下弦材を固定することにより小屋組トラスを形成し、
これを複数個、桁行方向に所定の間隔をあけてそれぞれの構面が梁間方向に平行となるように建物上に設置した後、
隣り合う小屋組トラスの各上弦材間に母屋又は野地板を架設する、
ことを特徴とする小屋組構築工法。
【発明の詳細な説明】
【０００１】
【発明の属する技術分野】
本発明は、建物の屋根を構成する小屋組構成材及びこれを用いた小屋組構築工法に関する。
【０００２】
【従来の技術】
従来より、現場作業を軽減化するために、屋根もしくは小屋組を複数個のユニットに分割し、これらの複数個の屋根もしくは小屋組ユニットを工場で製作しておき、その後にこれらを現場に搬入して建物上で組み立てる屋根構造ないし屋根構築工法が多数提案されている。
【０００３】
【発明が解決しようとする課題】
しかしながら、現場作業を軽減化するために屋根ユニットの完成度を高めれば高めるほど、屋根ユニットが大きく嵩張るものとなるため、工場で製作した屋根ユニットの現場への運搬作業が相当に困難なものとなってしまい、全体としては却って手間やコストが増大してしまうことがあった。
【０００４】
本発明はこのような事情に鑑み、現場への運搬作業や現場での組立作業が容易な小屋組構成材や、この小屋組構成材を用いた小屋組構築工法を提案するものである。
【０００５】
【課題を解決するための手段】
本発明の請求項１に係る小屋組構成材は、上弦材と束と方杖とを備えた小屋組構成材であって、前記束及び方杖が、それぞれの上端を中心として前記上弦材と平行な構面内で旋回可能であるように該上弦材に軸支されてなる、ことを特徴とする。
【０００６】
かかる小屋組構成材は、束及び方杖を旋回させて閉じることにより、全体をコンパクトな棒状に折り畳むことができるので、簡単に現場へ大量搬入することができる。そして、束及び方杖を逆方向に旋回させて開けることにより、簡単に元通りの片流れの小屋組トラスを組み立てる上弦材と束及び方杖を組み立てることができる。
【０００７】
本発明の請求項２に係る小屋組構成材は、請求項１に記載の小屋組構成材において、上弦材がその軸に沿った下向き溝を有し、旋回させた束及び方杖を該下向き溝に収容可能である、ことを特徴とする。
【０００８】
かかる小屋組構成材は、束及び方杖を旋回させて閉じたときにこれらを上弦材の下向き溝に収容できるので、全体をさらにコンパクトな棒状に折り畳むことができる。
【０００９】
本発明の請求項３に係る小屋組構成材は、請求項１又は請求項２に記載の小屋組構成材を二個一組にして、各小屋組構成材の上弦材がそれぞれの上端を中心として前記構面内で互いに旋回可能であるように、前記両小屋組構成材が連結されてなる、ことを特徴とする。
【００１０】
かかる小屋組構成材は、二個一組の小屋組構成材の各上弦材が互いに旋回可能であるように両小屋組構成材が連結されているため、両流れの小屋組トラスを組み立てる上弦材と束及び方杖を組み立てることができるものである。そして、片流れの小屋組トラスの小屋組構成材と同様、上弦材、束、方杖を旋回させて閉じることにより、全体をコンパクトな棒状に折り畳むことができるので、運搬に際し嵩張らず、簡単に現場へ多くの小屋組構成材を搬入することができる。また、上弦材、束、方杖を逆方向に旋回させて開けることにより、簡単に元通りの両流れの小屋組トラスを組み立てることができる。
【００１１】
本発明の請求項４に係る小屋組構成材は、第一上弦材と第二上弦材と束と第一方杖と第二方杖とを備えた小屋組構成材であって、前記束及び第一方杖が、それぞれの上端を中心として前記第一上弦材と平行な構面内で旋回可能であるように該第一上弦材に軸支され、前記第二方杖が、その上端を中心として前記構面内で旋回可能であるように前記第二上弦材に軸支され、前記第一上弦材と第二上弦材がそれぞれの上端を中心として前記構面内で互いに旋回可能である、ことを特徴とする。
【００１２】
かかる小屋組構成材は、束及び第一方杖を旋回させて閉じることにより第一上弦材を中心とする棒状に折り畳み、第二方杖を旋回させて閉じることにより第二上弦材を中心とする棒状に折り畳んだ上で、さらに第一方杖と第二方杖とを互いに旋回させることにより、全体をコンパクトな棒状に折り畳むことができる。したがって、運搬に際し嵩張らないので簡単に現場へ多くの小屋組構成材を搬入することができる。また、束、方杖、上弦材を逆方向に旋回させて開けることにより、簡単に元通りの両流れの小屋組トラスを組み立てることができる。
【００１３】
本発明の請求項５に係る小屋組構成材は、請求項４に記載の小屋組構成材において、第一上弦材がその軸に沿った下向き溝を有し、旋回させた束及び第一方杖を該下向き溝に収容可能であり、第二上弦材がその軸に沿った下向き溝を有し、旋回させた第二方杖を該下向き溝に収容可能である、ことを特徴とする。
【００１４】
かかる小屋組構成材は、束及び方杖を旋回させて閉じたときにこれらを上弦材の下向き溝に収容できるので、全体をさらにコンパクトな棒状に折り畳むことができる。
【００１５】
本発明の請求項６に係る小屋組構成材は、請求項１乃至請求項５のいずれか一項に記載の小屋組構成材において、上弦材、束、方杖がいずれもアルミニウム合金製の押出形材からなる、ことを特徴とする。
【００１６】
かかる小屋組構成材は、上弦材、束、方杖がいずれもアルミニウム合金製であるため、軽量で耐久性に富み、木材消費量を減らした地球環境に優しい屋根構造を実現することができる。また、上弦材、束、方杖がいずれも押出形材からなるため、これらが複雑な断面形状であっても精度よく加工することができる。
【００１７】
本発明の請求項７に係る小屋組構成材は、請求項１乃至請求項６のいずれか一項に記載の小屋組構成材を二個一組にして互いに平行に対向配置し、対向する上弦材間に母屋を架設してなる、ことを特徴とする。
【００１８】
かかる小屋組構成材は、前記の小屋組構成材同士を母屋で連結した完成度の高いユニット状小屋組構成材となっているため、これらにそれぞれ下弦材を組み付けたものを建物上に設置していくだけで、小屋組を完成させることができる。また、母屋以外の上弦材、束、方杖を旋回させて閉じることにより、全体をコンパクトな面状に折り畳むことができるため、運搬に際し嵩張らず、簡単に現場へ多くの小屋組構成材を搬入することができる。
【００１９】
本発明の請求項８に係る小屋組構成材は、請求項７に記載の小屋組構成材において、各母屋が、対向する上弦材を含む屋根の構面内で旋回可能であるようにそれぞれの両端において該各上弦材に軸支されてなる、ことを特徴とする。
【００２０】
かかる小屋組構成材は、対向する上弦材間に母屋が旋回可能に軸支されているため、対向する上弦材同士を屋根構面内でずらすように閉じることにより、全体をコンパクトな棒状に折り畳むことができる。
【００２１】
本発明の請求項９に係る小屋組構成材は、請求項７又は請求項８に記載の小屋組構成材において、上弦材、束、方杖、母屋がいずれもアルミニウム合金製の押出形材からなる、ことを特徴とする。
【００２２】
かかる小屋組構成材は、上弦材、束、方杖、母屋がいずれもアルミニウム合金製であるため、軽量で耐久性に富み、木材消費量を減らした地球環境に優しい屋根構造を実現することができる。また、上弦材、束、方杖、母屋がいずれも押出形材からなるため、これらが複雑な断面形状であっても精度よく加工することができる。
【００２３】
本発明の請求項１０に係る小屋組構築工法は、桁行方向に所定の間隔をあけて複数本の下弦材をそれぞれ梁間方向に平行となるように建物上に設置した後、請求項１乃至請求項６のいずれか一項に記載の小屋組構成材の上弦材、束、方杖の下端をそれぞれ前記各下弦材に固定してそれぞれ該下弦材を含む小屋組トラスを組み立て、隣り合う小屋組トラスの各上弦材間に母屋を架設する、ことを特徴とする。
【００２４】
かかる小屋組構築工法は、まず建物上に複数本の下弦材を設置し、これらの下弦材にそれぞれ平面状の小屋組構成材を固定することにより複数の平面小屋組トラスを組み立てた後、これらの小屋組構成材間をそれぞれ母屋で連結する、という手順で屋根架構を構築するものであるが、コンパクトな棒状に折り畳まれた各小屋組構成材を現場で開いて簡単に平面小屋組トラスを組み立てることができるため、現場への搬入作業や現場での組立作業が簡単で、施工性がよい。
【００２５】
本発明の請求項１１に係る小屋組構築工法は、請求項１乃至請求項６のいずれか一項に記載の小屋組構成材の上弦材、束、方杖の下端に下弦材を固定して小屋組トラスを組み立て、これを複数個、桁行方向に所定の間隔をあけてそれぞれの構面が梁間方向に平行となるように建物上に設置した後、隣り合う小屋組トラスの各上弦材間に母屋を架設する、ことを特徴とする。
【００２６】
かかる小屋組構築工法は、まず地上で下弦材を小屋組構成材に固定することにより平面小屋組トラスを組み立て、これを建物上に複数個設置した後、これらの小屋組トラス間をそれぞれ母屋で連結する、という手順で小屋組を構築するものであるが、コンパクトな棒状に折り畳まれた各小屋組構成材を現場で開いて簡単に平面小屋組トラスに組み立てることができるため、現場への搬入作業や現場での組立作業が簡単で、施工性がよい。
【００２７】
本発明の請求項１２に係る小屋組構築工法は、桁行方向に所定の間隔をあけて複数本の下弦材をそれぞれ梁間方向に平行となるように建物上に設置した後、隣り合う二本一組の前記各下弦材にそれぞれ請求項７乃至請求項９のいずれか一項に記載の小屋組構成材の上弦材、束、方杖の下端を固定して小屋組トラスを形成し、隣り合う二個一組の前記小屋組トラスの各上弦材間に母屋又は野地板を架設する、ことを特徴とする。
【００２８】
かかる小屋組構築工法は、まず建物上に複数本の下弦材を設置し、これらの下弦材にそれぞれ小屋組構成材を固定することにより桁行方向に間隔をあけた形で複数個の小屋組トラスを形成した後、これらの小屋組トラス間に母屋又は野地板を架設する、という手順で小屋組を構築するものであるが、コンパクトな棒状又は面状に折り畳まれた各小屋組構成材を現場で開いて簡単に組み立てることができるため、現場への搬入作業や現場での組立作業が簡単で、施工性がよい。
【００２９】
本発明の請求項１３に係る小屋組構築工法は、請求項７乃至請求項９のいずれか一項に記載の小屋組構成材の上弦材、束、方杖の下端にそれぞれ下弦材を固定することにより小屋組トラスを形成し、これを複数個、桁行方向に所定の間隔をあけてそれぞれの構面が梁間方向に平行となるように建物上に設置した後、隣り合う小屋組トラスの各上弦材間に母屋を架設する、ことを特徴とする。
【００３０】
かかる小屋組構築工法は、まず地上で下弦材を小屋組構成材に固定することにより小屋組トラスを形成し、これを複数個、桁行方向に間隔をあけた形で建物上に設置した後、これらの小屋組トラス間に母屋又は野地板を架設する、という手順で小屋組を構築するものであるが、コンパクトな棒状又は面状に折り畳まれた各小屋組構成材を現場で開いて簡単に組み立てることができるため、現場への搬入作業や現場での組立作業が簡単で、施工性がよい。
【００３１】
【発明の実施の形態】
以下、添付図面を参照しつつ、本発明の実施の形態を詳細に説明する。なお、説明において、同一要素には同一の符号を用い、重複する説明は省略するものとする。
【００３２】
図１は、本発明に係る小屋組構成材の第一実施形態を表す斜視図である。小屋組構成材１０は上弦材１１と束１２と方杖１３とを備えており、後述のように、所定位置に下弦材を固定することにより平面状の片流れ小屋組トラスを構成することができるものである。
上弦材１１は、下向きの溝部１１ａを有する断面コ字形のアルミ押出形材からなる。束１２は、溝部１２ａを有する断面コ字形のアルミ押出形材からなる。方杖１３は、中空部１３ａを有する断面矩形のアルミ中空押出形材からなる。
【００３３】
図１（ａ）のＡ−Ａ断面図である図２（ａ）に示すように、束１２の上端部の溝部１２ａには筒状スペーサ１４が介在されている。そして、この筒状スペーサ１４の内部を挿通する形で上弦材１１の上端部と束１２の上端部とをボルトＳが貫通しており、このボルトＳの先端部がナットＮで締結されていることによって、束１２の上端部が上弦材１１の上端部に軸支されている。その結果、束１２はその上端部を中心軸として、上弦材１１と束１２と方杖１３とで構成される小屋組トラスの構面内で旋回することができるようになっている。そして、束１２を閉じる方向に旋回させると、図１（ａ）に示すように、束１２は上弦材１１の溝部１１ａに収容される。
【００３４】
同様に、図１（ａ）のＢ−Ｂ断面図である図２（ｂ）に示すように、方杖１３の上端部の中空部１３ａには筒状スペーサ１４が介在されている。そして、この筒状スペーサ１４の内部を挿通する形で上弦材１１の中間部と方杖１３の上端部とをボルトＳが貫通しており、このボルトＳの先端部がナットＮで締結されていることによって、方杖１３の上端部が上弦材１１の中間部に軸支されている。その結果、方杖１３はその上端部を中心軸として、上弦材１１と束１２と方杖１３とで構成される小屋組トラスの構面内で旋回することができるようになっている。そして、方杖１３を閉じる方向に旋回させると、図１（ａ）に示すように、方杖１３は上弦材１１の溝部１１ａに収容される。
【００３５】
したがって、束１２及び方杖１３を閉じる方向に旋回させると、図１（ａ）に示すように、束１２及び方杖１３が上弦材１１の溝部１１ａに収容され、全体としてコンパクトな棒状に折り畳まれるため、運搬が極めて容易となる。そして、束１２及び方杖１３を開く方向に旋回させると、図１（ｂ）に示すように、上弦材１１、束１２、方杖１３が正規の向きとなり、図示しない下弦材を固定することによって平面状の片流れ小屋組トラスを構成できる部材となる。
【００３６】
なお、小屋組構成材１０の束１２及び方杖１３は、ここでは上弦材１１の溝部１１ａに収容可能であるが、本発明の小屋組構成材１０はこれに限らず、束１２及び方杖１３を上弦材１１を含む構面（小屋組トラスの構面）と平行な面内で旋回させることによって全体を略棒状に折り畳むことができるものであればよいため、例えば上弦材１１の溝部１１ａがないものとしてもよい。
【００３７】
次に、この小屋組構成材１０を用いた小屋組構築方法の一例を、図３を参照しつつ説明する。
まず、図３（ａ）に示すように、それぞれが棒状に折り畳まれた二個一組の小屋組構成材１０，１０を用意し、図３（ｂ）に示すように、各小屋組構成材１０の束１２及び方杖１３を開く方向に旋回させる。
一方で、図３（ｃ）に示すように、建物本体Ｍの桁行方向に所定間隔をあけつつ、梁間方向に平行となるように複数本の下弦材１５，１５，…を桁Ｋ，Ｋ間に架設していく。下弦材１５は上弦材１１と上下対称断面形のアルミ押出形材からなる。そして、各下弦材１５の溝部１５ａ（図３（ｃ）の拡大図を参照）の両端部にアルミ中空押出形材からなるブラケット１６，１６の下部を挿入してボルト固定しておく。
【００３８】
次に、図３（ｄ）に示すように、桁Ｋ，Ｋ間に架設された各下弦材１５に、図３（ｂ）の小屋組構成材１０，１０を左右一組で固定していく。このとき、各小屋組構成材１０の束１２の下端部及び方杖１３の下端部は、下弦材１５の溝部１５ａに上から嵌め込まれてボルト等によって固定される。各小屋組構成材１０の上弦材１１の下端部は、同図の拡大図に示すように、下弦材１５の溝部１５ａの両端部に挿入固定されたブラケット１６，１６の上部に被せられてボルト固定される。このようにして、桁Ｋ，Ｋ間に架設された各下弦材１５に左右一組の小屋組構成材１０，１０を固定していくことによって、建物本体Ｍの桁行方向に所定の間隔をあけて、桁Ｋ，Ｋ間に小屋組トラスＴ，Ｔ，…を組み立てていく。
最後に、図３（ｅ）に示すように、隣り合う小屋組トラスＴ，Ｔの上弦材１１，１１間に母屋１７，１７，…を架設していくことにより、切妻形式の小屋組の構築が完了する。
【００３９】
続いて、小屋組構成材１０を用いた小屋組構築方法の他の例を、図４を参照しつつ説明する。
まず、図４（ａ）に示すように、棒状に折り畳まれた二個一組の小屋組構成材１０，１０を用意し、図４（ｂ）に示すように、各小屋組構成材１０の束１２及び方杖１３を開く方向に旋回させた後、これらを図４（ｃ）に示すように一本の下弦材１５に固定して平面状の両流れ小屋組トラスＴを組み立てる。下弦材１５は上弦材１１と上下対称断面形のアルミ押出形材からなり、その上向きの溝部１５ａの両端部にブラケット１６，１６の下部が挿入され、これらのブラケット１６，１６の上部に上弦材１１の溝部１１ａが被せられてボルト固定されている。束１２及び方杖１３の下端部は下弦材１５の溝部１５ａに挿入されてボルト固定されている。
【００４０】
そして、図４（ｃ），（ｄ）に示すように、建物本体Ｍの桁行方向に所定間隔をあけつつ、それぞれの構面が梁間方向に平行となるように複数個の小屋組トラスＴ，Ｔ，…を桁Ｋ，Ｋ間に架設していく。
最後に、図４（ｅ）に示すように、隣り合う小屋組トラスＴ，Ｔの上弦材１１，１１間に母屋１７，１７、…を架設していくことにより、切妻形式の小屋組の構築が完了する。
【００４１】
次に、本発明に係る小屋組構成材の第二実施形態を、図５及び図６を参照しつつ説明する。
図５（ａ）に示す小屋組構成材２０は、図１に示した小屋組構成材１０，１０を左右二個一組に連結したものである。左右の小屋組構成材１０，１０は、それぞれの上弦材１１の溝部１１ａ同士を対向させた形で配置され、それぞれの束１２の中間部同士が、図５（ａ）のＤ−Ｄ断面図である図６（ｂ）に示すようにボルトＳ、ナットＮにて連結されている。図５（ａ）のＣ−Ｃ断面図である図６（ａ）や図５（ａ）のＥ−Ｅ断面図である図６（ｃ）に示すように、各小屋組構成材１０における束１２及び方杖１３は、第一実施形態と同様に上弦材１１に軸支されている。
【００４２】
したがって、小屋組構成材２０の束１２及び方杖１３を閉じる方向に旋回させると、図５（ａ）に示すように、束１２及び方杖１３が上弦材１１の溝部１１ａに収容され、全体としてコンパクトな棒状に折り畳まれるため、運搬が極めて容易となる。そして、束１２及び方杖１３を開く方向に旋回させると、図５（ｂ）に示すように、上弦材１１、束１２、方杖１３が正規の向きとなり、図示しない下弦材を固定することによって平面状の両流れ小屋組トラスを構成できる部材となる。
【００４３】
なお、小屋組構成材２０は、ここでは束１２，１２同士を連結することにより上弦材１１，１１同士が互いに旋回可能であるようにしたが、本発明の小屋組構成材２０はこれに限らず、例えば上弦材１１，１１の上端部同士を直接軸支することによって上弦材１１，１１同士が互いに旋回可能であるように構成してもよい。
【００４４】
次に、本発明に係る小屋組構成材の第三実施形態を、図７及び図８を参照しつつ説明する。
図７（ａ）に示す小屋組構成材３０は、第二実施形態の小屋組構成材２０と略同様であるが、束１２’が一本だけである点だけが異なっている。つまり、小屋組構成材３０は、それぞれ左右二本一組の上弦材１１，１１と、一本の束１２’と、左右二本一組の方杖１３，１３とからなり、束１２’の上端部に左右の上弦材１１，１１の上端部が軸支され（図７（ａ）のＦ−Ｆ断面図である図８を参照）、左右の上弦材１１，１１のそれぞれの中間部に方杖１３，１３の上端部が軸支されている。
【００４５】
したがって、小屋組構成材３０の方杖１３及び上弦材１１を閉じる方向に旋回させると、図７（ａ）に示すように、束１２’及び方杖１３が上弦材１１の溝部１１ａに収容され、全体としてコンパクトな棒状に折り畳まれるため、運搬が極めて容易となる。そして、上弦材１１及び方杖１３を開く方向に旋回させると、図７（ｂ）に示すように、上弦材１１、束１２’、方杖１３が正規の向きとなり、図示しない下弦材を固定することによって平面状の両流れ小屋組トラスを構成できる部材となる。
【００４６】
なお、小屋組構成材３０は、ここでは一本の束１２’に左右の上弦材１１，１１を軸支してあるが、本発明の小屋組構成材３０はこれに限らず、例えば一方の上弦材１１を束１２’に軸支するとともに、他方の上弦材１１の上端部を前記一方の上弦材１１の上端部に軸支することによって、上弦材１１，１１同士が互いに旋回可能であるように構成してもよい。
【００４７】
次に、本発明に係る小屋組構成材の第四実施形態を、図９及び図１０を参照しつつ説明する。
図９（ａ）は小屋組構成材４０を完全に閉じた状態、図９（ｂ）は図９（ａ）の小屋組構成材４０の母屋１７，１７，…を屋根構面内で旋回させた状態、図９（ｃ）は図９（ｂ）の小屋組構成材４０の束１２及び方杖１３を旋回させて完全に開いた状態を表している。
これらの図に示すように、小屋組構成材４０は、上弦材４１と束１２と方杖１３とからなる小屋組構成材１０’を二個用意して、これらをそれぞれの構面が平行になるように対向配置した上で、上弦材４１，４１間に母屋１７，１７，…を架設して両小屋組構成材１０’，１０’を連結したものである。つまり、この小屋組構成材４０は、所定位置に下弦材を固定することにより立体的な片流れ小屋組トラスを構成するものである。
図１０（ａ）に示すように、上弦材４１は、下向きの溝部４１ａと内側向きの溝部４１ｂと外側向きの母屋受け部４１ｃを有するアルミ押出形材からなる。束１２及び方杖１３は、第一実施形態と同様の部材である。また、母屋１７は、中空部を有する断面矩形のアルミ中空押出形材からなる。
【００４８】
束１２及び方杖１３は、第一実施形態と同様に、それぞれの上端部を中心として旋回可能であるように、それぞれの上端部が上弦材４１の上端部及び中間部に軸支されており、これらを閉じる方向に旋回させると、図９（ａ），（ｂ）に示すように上弦材４１の溝部４１ａ内に収容される。
また、図９（ｂ）のＧ−Ｇ断面図である図１０（ｂ）に示すように、母屋１７の両端部は、対向する上弦材４１の溝部４１ｂに軸支されており、母屋１７は両上弦材４１，４１を含む屋根の構面内で旋回可能であるように両上弦材４１，４１を連結している。
【００４９】
したがって、図９（ｂ）の状態において、対向する上弦材４１，４１をずらすように母屋１７，１７，…を屋根構面内で旋回させれば、図９（ａ）に示すように全体がコンパクトに折り畳まれ、運搬が極めて容易となる。一方、図９（ｂ）の状態において、束１２及び方杖１３を開く方向に旋回させれば、図９（ｃ）に示すように、上弦材４１、束１２、方杖１３、母屋１７が正規の向きとなり、図示しない下弦材を固定することによって立体的な片流れ小屋組トラスを構成できる部材となる。
【００５０】
なお、小屋組構成材４０は、ここでは対向する上弦材４０，４０に母屋１７の両端部が軸支され、母屋１７が屋根構面内で旋回可能となっていたが、本発明の小屋組構成材４０はこれに限らず、例えば母屋１７の両端部が上弦材４０，４０に固定され、母屋１７が旋回不能であるように構成してもよい。
【００５１】
次に、この小屋組構成材４０を用いた小屋組構築方法の一例を、図１１〜図１３を参照しつつ説明する。
まず、図１１（ａ）に示すように、それぞれが完全に折り畳まれた二個一組の小屋組構成材４０，４０を用意する。そして、図１１（ｂ）に示すように、各小屋組構成材４０の母屋１７，１７，…を旋回させて面状に開き、さらに図１１（ｃ）に示すように、各小屋組構成材４０の束１２及び方杖１３を開く方向に旋回させる。
一方で、図１１（ｄ）に示すように、建物本体Ｍの桁行方向に所定間隔をあけつつ、梁間方向に平行となるように複数本の下弦材１５，１５，…を桁Ｋ，Ｋ間に架設していく。下弦材１５，１５，…の設置間隔は、小屋組構成材４０における上弦材４１，４１の対向間隔と同じである。そして、各下弦材１５の両端部にブラケット１６，１６をボルト固定しておく。
【００５２】
次に、図１２（ａ）に示すように、桁Ｋ，Ｋ間に架設された下弦材１５，１５，…の隣り合う一組の下弦材１５，１５に左右二個一組の小屋組構成材４０，４０を固定していく。このようにして、桁Ｋ，Ｋ間に架設された下弦材１５，１５，…の隣り合う一組の下弦材１５，１５に左右一組の小屋組構成材４０，４０を固定していくことによって、建物本体Ｍの桁行方向に一スパンずつ間隔をあけて、桁Ｋ，Ｋ間に小屋組トラスＴ，Ｔ，…を組み立てていく。
最後に、図１２（ｂ）に示すように、隣り合う小屋組トラスＴ，Ｔの上弦材１１，１１間に母屋１７ａ，１７ａ，…を架設していく。このとき、図１２（ｂ）のＨ部拡大図である図１３に示すように、母屋１７ａの両端部は、隣り合う小屋組構成材４０，４０間で対向する上弦材４１，４１の母屋受け部４１ｃ，４１ｃに支持され、ボルト等で固定される。このようにして、切妻形式の小屋組の構築が完了する。
【００５３】
続いて、小屋組構成材４０を用いた小屋組構築方法の他の例を、図１４及び図１５を参照しつつ説明する。
まず、図１４（ａ）に示すように、それぞれが完全に折り畳まれた二個一組の小屋組構成材４０，４０を用意する。そして、図１４（ｂ）に示すように、各小屋組構成材４０の母屋１７，１７，…を旋回させてそれぞれを面状に開き、さらに図１４（ｃ）に示すように、各小屋組構成材４０の束１２及び方杖１３を開く方向に旋回させる。
次に、図１４（ｄ）に示すように、これらの小屋組構成材４０，４０に、対向する二本の下弦材１５を固定して立体的な両流れ小屋組トラスＴを組み立てる。
【００５４】
そして、図１５（ａ）に示すように、建物本体Ｍの桁行方向に所定間隔をあけつつ、それぞれの構面が梁間方向に平行となるように複数個の小屋組トラスＴ，Ｔ，…を桁Ｋ，Ｋ間に架設していく。このとき、小屋組トラスＴ，Ｔの設置間隔は、小屋組トラスＴにおける上弦材４１，４１の対向間隔と同程度とする。
最後に、図１５（ｂ）に示すように、隣り合う小屋組トラスＴ，Ｔの上弦材４１，４１間に母屋１７ａ，１７ａ，…を架設していくことにより、切妻形式の小屋組の構築が完了する。
【００５５】
最後に、本発明に係る小屋組構成材の第五実施形態を、図１６を参照しつつ説明する。
図１６（ａ）は小屋組構成材５０を完全に閉じた状態、図１６（ｂ）は図１６（ａ）の小屋組構成材５０の母屋１７，１７，…を屋根構面内で旋回させた状態、図１６（ｃ）は図１６（ｂ）の小屋組構成材５０の上弦材４１を旋回させた状態、図１６（ｄ）は図１６（ｃ）の小屋組構成材５０の方杖１３を旋回させて完全に開いた状態を表している。
これらの図に示すように、小屋組構成材５０は、図９に示した小屋組構成材４０を二個用意して、これらを左右に配置して互いに連結したような形状となっており、所定位置に下弦材を固定することにより立体的な両流れ小屋組トラスを構成するものである。ただし、束１２は、左右の上弦材４１，４１間に一本ずつ配置されている（図１６（ｂ）のＩ−Ｉ断面図である図１７を参照）。
【００５６】
束１２及び方杖１３は、第一実施形態と同様に、それぞれの上端部を中心として旋回可能であるように、それぞれの上端部が上弦材４１の上端部及び中間部に軸支されており、これらを閉じる方向に旋回させると、図１６（ａ），（ｂ）に示すように上弦材４１の溝部４１ａ内に収容される。
また、母屋１７の両端部は、対向する上弦材４１の溝部４１ｂに軸支されており、母屋１７は両上弦材４１，４１を含む屋根の構面内で旋回可能であるように両上弦材４１，４１を連結している。
【００５７】
したがって、図１６（ｂ）の状態において、対向する上弦材４１，４１をずらすように母屋１７，１７，…を屋根構面内で旋回させれば、図１６（ａ）に示すように全体がコンパクトに折り畳まれ、運搬が極めて容易となる。一方、図１６（ｂ）の状態において、左右の上弦材４１，４１を開く方向に旋回させると、図１６（ｃ）に示すように、束１２を中心としてその左右に屋根面が形成される。さらに図１６（ｃ）の状態において、方杖１３を開く方向に旋回させれば、図１６（ｄ）に示すように、上弦材４１、束１２、方杖１３、母屋１７が正規の向きとなり、図示しない下弦材を固定することによって立体的な片流れ小屋組トラスを構成できる部材となる。このような小屋組構成材５０の使用方法は、小屋組構成材４０の使用方法と略同様である。
【００５８】
以上、複数の実施形態を説明してきたが、本発明はこれらに限定されるものではなく、発明の趣旨を踏まえて適宜の変更が施されるべきものであることは言うまでもない。
【００５９】
【発明の効果】
以上のように、本発明に係る小屋組構成材は、全体をコンパクトに折り畳むことができ、また簡単に開いて小屋組トラス状に組み立てることができるので、現場への運搬作業や現場での組立作業が容易であり、建物の屋根の現場施工の簡易化に大きく寄与する。
また、本発明に係る小屋組構築方法によれば、嵩張らない小屋組構成材を現場に大量搬入して簡単に小屋組トラスを組み立てて、小屋組を迅速かつ簡単に構築することができる。
【図面の簡単な説明】
【図１】本発明に係る小屋組構成材の第一実施形態を表す斜視図であり、（ａ）は棒状に折り畳んだ状態、（ｂ）は束及び方杖を開いた状態を表す。
【図２】（ａ）は図１（ａ）のＡ−Ａ断面図であり、（ｂ）は同Ｂ−Ｂ断面図である。
【図３】図１の小屋組構成材を用いた小屋組構築方法の一例を表す手順図である。
【図４】図１の小屋組構成材を用いた小屋組構築方法の他の例を表す手順図である。
【図５】本発明に係る小屋組構成材の第二実施形態を表す斜視図であり、（ａ）は棒状に折り畳んだ状態、（ｂ）は上弦材及び方杖を開いた状態を表す。
【図６】（ａ）は図５（ａ）のＣ−Ｃ断面図、（ｂ）は同Ｄ−Ｄ断面図、（ｃ）は同Ｅ−Ｅ断面図である。
【図７】本発明に係る小屋組構成材の第三実施形態を表す斜視図であり、（ａ）は棒状に折り畳んだ状態、（ｂ）は上弦材及び方杖を開いた状態を表す。
【図８】図７（ａ）のＦ−Ｆ断面図である。
【図９】本発明に係る小屋組構成材の第四実施形態を表す斜視図であり、（ａ）は折り畳んだ状態、（ｂ）は母屋を旋回させた状態、（ｃ）はさらに束及び方杖を開いた状態を表す。
【図１０】（ａ）は図９の上弦材の断面図であり、（ｂ）は図９（ｂ）のＧ−Ｇ断面図である。
【図１１】図９の小屋組構成材を用いた小屋組構築方法の一例を表す手順図である。
【図１２】図１１に続く手順図である。
【図１３】図１２（ｂ）のＨ部拡大図である。
【図１４】図９の小屋組構成材を用いた小屋組構築方法の他の例を表す手順図である。
【図１５】図１４に続く手順図である。
【図１６】本発明に係る小屋組構成材の第五実施形態を表す斜視図であり、（ａ）は折り畳んだ状態、（ｂ）は母屋を旋回させた状態、（ｃ）は上弦材を開いた状態、（ｄ）はさらに方杖を開いた状態を表す。
【図１７】図１６（ｂ）のＩ−Ｉ断面図である。
【符号の説明】
１０，１０’，２０，３０，４０，５０    …  小屋組構成材
１１，４１    …  上弦材
１１ａ，４１ａ  …  溝部
１２，１２’    …  束
１２ａ  …  溝部
１３    …  方杖
１３ａ  …  中空部
１４    …  筒状スペーサ
１５    …  下弦材
１５ａ  …  溝部
１６    …  ブラケット
１７，１７ａ    …  母屋
Ｋ    …  桁
Ｎ    …  ナット
Ｓ    …  ボルト
Ｔ    …  小屋組トラス
【図１】
0003794315.tif 000002
【図２】
0003794315.tif 000003
【図３】
0003794315.tif 000004
【図４】
0003794315.tif 000005
【図５】
0003794315.tif 000006
【図６】
0003794315.tif 000007
【図７】
0003794315.tif 000008
【図８】
0003794315.tif 000009
【図９】
0003794315.tif 000010
【図１０】
0003794315.tif 000011
【図１１】
0003794315.tif 000012
【図１２】
0003794315.tif 000013
【図１３】
0003794315.tif 000014
【図１４】
0003794315.tif 000015
【図１５】
0003794315.tif 000016
【図１６】
0003794315.tif 000017
【図１７】
0003794315.tif 000018